(57)【要約】  本発明の課題は、特定の携帯端末とそれと互換性を備える特定の操作デバイスを用いなくても、携帯端末で遠隔で操作を行うことである。  上記課題を解決するために、携帯端末を遠隔で操作するためのデバイスであって、前記デバイスは、ユーザーによるタッチ操作の情報を送信する操作デバイス（Ａ）と、前記情報を携帯端末のタッチパネルに直接入力操作を行う入力デバイス（Ｂ）とを備えることを特徴とする、携帯端末遠隔操作用デバイスを提供することである。
2019208323.tif 000002
【特許請求の範囲】
【請求項１】
携帯端末を遠隔で操作するためのデバイスであって、前記デバイスは、ユーザーによるタッチ操作の情報を送信する操作デバイス（Ａ）と、前記情報を携帯端末のタッチパネルに直接入力操作を行う入力デバイス（Ｂ）とを備え、
前記操作デバイス（Ａ）は、ユーザーによるタッチ操作を検知するタッチパネルと、
ユーザーによる前記タッチパネルのタッチ位置の座標情報を前記入力デバイス（Ｂ）に無線信号で送信する無線送信手段とを有し、
前記入力デバイス（Ｂ）は、前記操作デバイスの前記無線送信手段から送信された前記座標情報に基づき、該座標情報に対応する前記携帯端末のタッチパネル上の位置をユーザーがタッチ操作したと判定する操作判定手段と、
前記操作判定手段によってユーザーがタッチ操作したと判定された前記携帯端末のタッチパネル上の位置で、前記タッチパネルに直接入力操作を実行する操作実行手段と、
を有することを特徴とする、携帯端末遠隔操作用デバイス。
【請求項２】
前記操作実行手段が、物理的に携帯端末のタッチパネルを押圧する手段であることを特徴とする、請求項１に記載の携帯端末遠隔操作用デバイス。
【請求項３】
前記操作実行手段が、電気的に携帯端末のタッチパネルと前記入力デバイス（Ｂ）とが通電する手段であることを特徴とする、請求項１または２に記載の携帯端末遠隔操作用デバイス。
【請求項４】
請求項１〜３の何れか一項に記載の携帯端末遠隔操作用デバイスを用いて、携帯端末を遠隔で操作する方法。
【発明の詳細な説明】
【技術分野】
【０００１】
本発明は、携帯端末の遠隔操作用デバイス、及び、遠隔操作用デバイスを用いて携帯端末を遠隔操作する方法に関する。
【背景技術】
【０００２】
近年、スマートフォンやタブレット型端末などの携帯端末は、電話、ゲーム、読書などに用いられる身近な機器として、幅広い業種、年代の方々に使用されている。
そして、前記携帯端末は、腕時計型のデバイスなどの遠隔操作デバイスを用いて遠隔で操作が行えることも知られている。【０００３】
例えば、特許文献１には、伝送ケーブルを介して接続された映像表示装置に映像を表示させる携帯端末を操作するための、遠隔操作システムが開示されている。
また、特許文献２には、操作画面を設けた被操作端末と前記被操作端末の操作画面の画像を縮小表示する３次元タッチパネル付き小型ディスプレイを有した３次元タッチパネルを用いた被操作端末の遠隔操作方法であって、前記３次元タッチパネル付き小型ディスプレイに縮小表示された前記被操作端末の操作画面の画像をタッチ操作することにより、前記被操作端末を遠隔操作することを特徴とする３次元タッチパネルを用いた被操作端末の遠隔操作方法が開示されている。
【先行技術文献】
【特許文献】
【０００４】
【特許文献１】特開２０１３−１５３３４６号公報
【特許文献２】特開２０１４−１１５８７６号公報
【発明の概要】
【発明が解決しようとする課題】
【０００５】
しかしながら、従来携帯端末を遠隔で操作するデバイスとしては、操作デバイスからの信号を携帯端末に送信し、直接携帯端末を操作するといった遠隔操作方法であって、特定の携帯端末とそれと互換性を備える特定の操作デバイスを用いなければ遠隔で操作を行うことができず、携帯端末と操作デバイスが限定されるという課題が存在する。
【課題を解決するための手段】
【０００６】
本発明者らは、鋭意研究を重ねた結果、ユーザーがタッチした情報を無線で送信する操作デバイスと、前記操作デバイスから送信された情報を携帯端末のタッチパネルに直接入力する入力デバイスとを備える携帯端末遠隔操作用デバイスが、上記の課題を解決できることを見出し、本発明を完成するに至った。
すなわち、本発明は携帯端末遠隔操作用デバイス及び遠隔操作方法である。【０００７】
上記課題を解決するための本発明の携帯端末遠隔操作用デバイスは、ユーザーによるタッチ操作の情報を送信する操作デバイス（Ａ）と、前記情報を携帯端末のタッチパネルに直接入力する入力デバイス（Ｂ）とを備え、
前記操作デバイス（Ａ）は、ユーザーによるタッチ操作を検知するタッチパネルと、
ユーザーによる前記タッチパネルのタッチ位置の座標情報を前記入力デバイス（Ｂ）に無線信号で送信する無線送信手段とを有し、
前記入力デバイス（Ｂ）は、前記操作デバイスの前記無線送信手段から送信された前記座標情報に基づき、該座標情報に対応する前記携帯端末のタッチパネル上の位置をユーザーがタッチ操作したと判定する操作判定手段と、
前記操作判定手段によってユーザーがタッチ操作したと判定された前記携帯端末のタッチパネル上の位置で、前記タッチパネルに直接入力操作を実行する操作実行手段と、
を有することを特徴とする。
この特徴によれば、特定の携帯端末とそれと互換性を備える特定の操作デバイスを用いなくとも遠隔で操作を行うことができ、携帯端末と操作デバイスを限定することなく遠隔で操作を行うことができるという効果を有する。【０００８】
更に、本発明の携帯端末遠隔操作用デバイスの一実施態様によれば、前記操作実行手段が、物理的に携帯端末のタッチパネルを押圧する手段であることを特徴とする。
この特徴によれば、抵抗膜式のタッチパネルを備える携帯端末であっても、遠隔で操作を行うことができるという効果を有する。【０００９】
更に、本発明の携帯端末遠隔操作用デバイスの一実施態様によれば、前記操作実行手段が、電気的に携帯端末のタッチパネルと前記入力デバイス（Ｂ）とが通電する手段であることを特徴とする。
この特徴によれば、静電容量方式のタッチパネルを備える携帯端末であっても、遠隔で操作を行うことができるという効果を有する。【００１０】
上記課題を解決するための本発明の携帯端末を遠隔で操作する方法は、上記の携帯端末遠隔操作用デバイスを用いることを特徴とする。
この特徴によれば、特定の携帯端末とそれと互換性を備える特定の操作デバイスを用いなくとも遠隔で操作を行うことができ、携帯端末と操作デバイスを限定することなく遠隔で操作を行うことができるという効果を有する。
【発明の効果】
【００１１】
本発明によれば、特定の携帯端末とそれと互換性を備える特定の操作デバイスを用いなくとも遠隔で操作を行うことができ、携帯端末と操作デバイスを限定することなく遠隔で操作を行うことができる携帯端末遠隔操作用デバイスを提供することができる。
【図面の簡単な説明】
【００１２】
【図１】本発明の一実施態様の入力デバイス（Ｂ）の一例を示す概略図である。
【図２】本発明の一実施態様の、操作デバイス（Ａ）と入力デバイス（Ｂ）を備える携帯端末遠隔操作用デバイスの動作の一例を示す概略図である。
【図３】本発明の操作デバイス（Ａ）の内部構成を示すブロック図である。
【図４】本発明の入力デバイス（Ｂ）の内部構成を示すブロック図である。
【図５】入力デバイスを用いて、携帯端末のタッチパネルを押圧する概略図である。
【図６】入力デバイスを用いて、携帯端末のタッチパネルと通電する概略図である。
【図７】操作デバイス（Ａ）と、入力デバイス（Ｂ）が設置された携帯端末の操作処理の動作を示すフローチャートである。
【発明を実施するための形態】
【００１３】
以下、図面を参照しつつ本発明に係る携帯端末遠隔操作用デバイスの実施態様を詳細に説明する。なお、実施態様に記載する携帯端末遠隔操作用デバイス等の各部材の構造や、形状等の具体的態様等については、本発明に係る携帯端末遠隔操作用デバイスを説明するために例示したにすぎず、これに限定されるものではない。
【００１４】
［携帯端末遠隔操作用デバイス］
まず、本発明の携帯端末遠隔操作用デバイスについて、図１〜４を用いて具体的に説明する。
本発明の携帯端末遠隔操作用デバイスは、入力デバイス（Ｂ）を携帯端末のタッチパネル上に設置して、携帯端末を遠隔操作するものである。
図１は、携帯端末１のタッチパネル２上に、携帯端末遠隔操作用デバイスの入力デバイス１０を設置した、入力デバイス１０が設置された携帯端末１００の概略図である。
ここで、携帯端末１のタッチパネル２上に入力デバイス１０を設置する方法としては、直接携帯端末１のタッチパネル２上に設置してもよく、また、粘着剤等を介して設置してもよい。
ここで、携帯端末とは、スマートフォン、タブレット型パソコン、携帯型ゲーム機、置き型ゲーム機の携帯できる部分、携帯型音楽プレーヤーを含み、さらに、タッチパネルを有するノート型パソコンなどを含む。
【００１５】
図２は、タッチパネル２１を備えた操作デバイス２０と、入力デバイスが設置された携帯端末１００とを含む携帯端末遠隔操作用デバイス２００の概略図である。
前記携帯端末遠隔操作用デバイスを用いることで、ユーザーが操作デバイスを操作して入力した入力情報を、遠隔で携帯端末に入力して、遠隔で携帯端末を操作することができる。
【００１６】
＜操作デバイス（Ａ）＞
操作デバイス２０は、図３に示すように、映像を表示する表示部２２と、無線通信部２３と、メインマイコン２４とを備える。
操作デバイス（Ａ）は、操作キーとして機能するタッチパネル２１を有する。タッチパネル２１は、表示部２２の画面上を覆うように配設され、ユーザーによるタッチ操作を検知する。ユーザーによるタッチ操作は、指に限定されず、ペン式の操作部材等を用いることもできる。
タッチパネルとしては、抵抗膜式、静電容量式、超音波方式、赤外線方式、電磁誘導方式等のものを用いることが可能である。
【００１７】
表示部２２には、入力デバイス１０から送信された映像信号に基づく映像を表示してもよい。入力デバイス１０から送信される映像信号は、携帯端末が表示している映像と同一の映像である。なお、表示部２２には、入力デバイス１０から送信された映像信号に基づく映像を表示しないように設定することもできる。
入力デバイス１０から送信された映像信号に基づく映像を表示しない場合は、ユーザーが別個に設定した映像を表示することもできる。
表示部２２としては、液晶ディスプレイや有機ＥＬディスプレイを用いることができる。
【００１８】
無線通信部２３は、入力デバイス１０と無線信号の送受信を行う。無線信号の媒体としては、電波や赤外線、及び、超音波が挙げられるが、中でも赤外線で無線通信を行うことが好ましく、Ｂｌｕｅｔｏｏｔｈ規格に従って送受信を行うことが好ましい。
【００１９】
メインマイコン２４は、操作デバイス２０の各部を制御する。具体的には例えば、メインマイコン２４は、無線通信部２３を用いて、入力デバイス１０から送信された映像信号を受信し、受信した映像信号に基づく映像を表示部２２に表示したり、ユーザーが別個に設定した映像を表示する。また、メインマイコン２４は、ユーザーによってタッチパネル２１がタッチ操作されたとき、無線通信部２３を用いて、ユーザーによるタッチパネル２１のタッチ位置の座標情報を入力デバイス１０に送信する。
【００２０】
操作デバイス２０の構造は、樹脂や金属からなる材料で構成されており、表示部を備える上面は、透明の材料で構成されることが好ましい。透明の材料としては、ガラスや光学樹脂が挙げられ、軽量化や非破壊性の観点から透明樹脂がより好ましい。また、樹脂の表面は傷や指紋の付着を抑制するためハードコートや耐指紋コートを施すことが好ましい。
【００２１】
＜入力デバイス（Ｂ）＞
入力デバイス１０は、図４に示すように、無線通信部１１と、メインマイコン１２（操作判定手段、操作実行手段）と、インタフェース１３を備える。
【００２２】
無線通信部１１は、操作デバイス２０と無線信号の送受信を行う。無線信号の媒体としては、電波や赤外線、及び、超音波が挙げられるが、中でも赤外線で無線通信を行うことが好ましく、Ｂｌｕｅｔｏｏｔｈ規格に従って送受信を行うことが好ましい。
【００２３】
メインマイコン１２は、入力デバイス１０の各部を制御する。具体的には例えば、メインマイコン１２は、インタフェース１３を通じて、携帯端末１に表示されている映像を受信する。また、メインマイコン１２は、無線通信部１１を用いて、操作デバイス２０の表示部２２に表示する映像（携帯端末１に表示されている映像）を、操作デバイス２０に無線信号で送信する。
次いで、メインマイコン１２は、携帯端末１のタッチパネルの座標位置と、操作デバイス２０のタッチパネルの座標位置とを一致させるコントローラとしても働く。さらに、メインマイコン１２は、無線通信部１１を用いて、操作デバイス２０から座標情報を受信する。そして、メインマイコン１２は、操作デバイス２０から送信された座標情報に基づき、座標情報に対応する携帯端末のタッチパネル上の位置をユーザーがタッチ操作したと判定し、この判定によってユーザーがタッチ操作したと判定されたタッチパネル上の位置に対応した操作を実行する。
【００２４】
次に、入力デバイス（Ａ）による携帯端末への操作実行手段について説明する。本発明の入力デバイス（Ａ）は、タッチパネルを有する携帯端末上に設置して、前記携帯端末のタッチパネルに対して、直接入力操作を実行するものである。
本発明の入力デバイス（Ａ）において、操作実行手段としては、携帯端末が備えるタッチパネルの方式によって適宜設定することができる。
【００２５】
例えば、抵抗膜式のタッチパネルを有する携帯端末に対して操作を実行する場合は、物理的に携帯端末のタッチパネルを押圧する手段が好ましい。
物理的に携帯端末のタッチパネルを押圧する手段としては、アクチュエータのように入力されたエネルギーを物理的運動に変換する手段が好ましく、導電性高分子等の導電性材料を用いたアクチュエータであればより好ましい。
【００２６】
図５は、抵抗膜式タッチパネル５０を備える携帯端末に対して、入力デバイスを用いて、携帯端末のタッチパネルを押圧する概略図である。
抵抗膜式タッチパネルは、対向する２枚の部材の内面にＩＴＯ等の透明導電性材料が備えられており、指やタッチペン等を用いて、タッチパネルの上部材を押圧すること、すなわち前記対向する部材が接触することで、その座標位置を検知するものである。
そして、本発明においては、指やタッチペンの代わりに、入力デバイスが物理的に押圧することで、タッチパネルに直接入力操作を行うものである。
【００２７】
また、静電容量式のタッチパネルを有する携帯端末に対して操作を実行する場合は、電気的に携帯端末のタッチパネルと通電する手段であることが好ましい。
電気的に携帯端末のタッチパネルと通電する手段としては、例えば、導電性の材料を用いて、携帯端末のタッチパネルと通電させることが好ましい。
通電させる方法としては、タッチパネル上の入力したい座標位置部分に電気を流して、タッチパネルと通電させる方法や、上記の物理的に押圧した際に、タッチパネルと入力デバイス（Ａ）とが通電する方法が挙げられる。
タッチパネルと入力デバイス（Ａ）とを通電させる方法としてより具体的には、例えば、リレータッチボード等の電磁石により物理的に回路の開閉を制御するリレー装置を用いて静電容量を変化させる方法や、タッチパネルの近傍でプラズマを発生させることにより静電容量を変化させるプラズマ方式等が挙げられる。
また、例えば、携帯端末の画面をスクロールさせるには、一定の間隔で静電容量のＯＮ／ＯＦＦを切り替えるだけでは不十分であり、時間の経過と共にＯＮ／ＯＦＦの間隔を短くしていく必要がある。その場合においても、回路の開閉時間を制御したり、プラズマの発生間隔を制御することで対応することが可能である。
【００２８】
図６は、静電容量式タッチパネル６０を備える携帯端末に対して、入力デバイスを用いて、通電させる概略図である。
静電容量式タッチパネルは、指がタッチパネルと接触することで、指と導電膜の間で通電することで座標位置を検出するものである。
そして、本発明においては、指の代わりに、導電性の入力デバイスを用いて、入力デバイスと導電膜の間で通電することで座標位置を検出させるものである。
【００２９】
入力デバイスに用いられる導電性の材料としては、金、銀、銅、白金等の金属や、ＩＴＯ、ＺＴＯ等の半導体、ポリチオフェン、ポリピロール等の導電性高分子等が挙げられる。
また、前記導電性材料は、入力デバイスの全面に塗布されていてもよく、またメッシュ形状に塗布されていてもよい。さらに、入力デバイスにおいて、タッチパネルと接触する面に上記導電性材料を有していてもよく、また、タッチパネルと通電することができるならば、タッチパネルが接触しない反対面に上記導電性材料を有していてもよい。
【００３０】
次に、携帯端末遠隔操作用デバイス１００における、遠隔操作処理について、図７を用いて説明する。図７は、操作デバイス２０と、入力デバイス１０が設置された携帯端末１００の操作処理の動作を示すフローチャートである。
【００３１】
操作デバイス２０の表示部には、入力デバイス１０を通じて、携帯端末に表示された画面と同じ画面が映し出されている。ユーザーが、操作デバイス２０のある位置Ｘを指でタッチ操作する（Ｏ１）。これにより、操作デバイス２０のメインマイコン２４は、無線通信部２３を用いて、ユーザーの指によるタッチ位置Ｘの座標情報を入力デバイス１０に無線信号で送信する（Ｏ２）。
【００３２】
そして、入力デバイス１０のメインマイコン１２は、無線通信部１１を用いて、操作デバイス２０から送信された座標情報を受信し（Ｏ３）、操作デバイス２０から受信した座標情報に対応する携帯端末のタッチパネル上の位置をユーザーがタッチ操作したと判定する（Ｏ４）。
【００３３】
そして、入力デバイス１０のメインマイコン１２は、操作デバイス２０でタッチされた位置を携帯端末上のタッチパネルに対して入力を実行する（Ｏ５）。前記実行操作の結果、携帯端末は、入力された操作を出力するものである（Ｏ６）。
【００３４】
上述したように、本遠隔操作用デバイスによれば、ユーザーによって操作デバイス２０のタッチパネルがタッチ操作されると、操作デバイス２０が、ユーザーによるタッチ位置の座標情報を入力デバイス１０に無線信号で送信する。入力デバイス１０は、操作デバイス２０から送信された座標情報に基づき、ユーザーがタッチ操作したと判定された携帯端末のタッチパネル２上の位置に対応した入力操作を実行し、携帯端末のタッチパネルに対して入力された操作を直接実行する。そのため、ユーザーは、携帯端末のタッチパネル２上の所望の位置をタッチ操作したい場合に、該所望の位置に対応する操作デバイス２０のタッチパネル２１上の位置をタッチ操作することで、携帯端末のタッチパネル２上の所望の位置を直接タッチ操作した場合と同様の操作を携帯端末に実行させることができる。従って、ユーザーは、特定の携帯端末とそれと互換性を備える特定の操作デバイスを用いなくても、遠隔で携帯端末を操作することが可能となる。そうすることで、携帯端末を鞄やポケットに入れておいた場合にでも、操作デバイス２０を用いて、携帯端末を容易に遠隔操作することができるため、携帯端末を落下させるなどによる破損を防止することも可能となる。
【００３５】
本発明者らは、鋭意研究を重ねた結果、ユーザーがタッチした情報を無線で送信する操作デバイスと、前記操作デバイスから送信された情報を携帯端末のタッチパネルに直接入力する入力デバイスとを備える携帯端末遠隔操作用デバイスが、上記の課題を解決できる
【産業上の利用可能性】
【００３６】
本発明は、携帯端末を遠隔で操作することが可能な、携帯端末遠隔操作用デバイスであるから、スマートフォンやタブレット型パソコンを遠隔で操作することができる。さらに、携帯ゲーム機等に用いることで、これまでにないゲーム性を提供することができる。
【符号の説明】
【００３７】
１・・・携帯端末、２、２１、５１、６１・・・タッチパネル、１０・・・入力デバイス、１１、２３・・・無線通信部、１３・・・インタフェース、１２、２４・・・メインマイコン、２０・・・操作デバイス、２２・・・表示部、５０・・・抵抗膜式タッチパネル、５２・・・透明導電性材料、６０・・・静電容量式タッチパネル、１００・・・入力デバイスが設置された携帯端末、２００・・・携帯端末遠隔操作用デバイス
【図１】
2019208323.tif 000003
【図２】
2019208323.tif 000004
【図３】
2019208323.tif 000005
【図４】
2019208323.tif 000006
【図５】
2019208323.tif 000007
【図６】
2019208323.tif 000008
【図７】
2019208323.tif 000009
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
携帯端末を遠隔で操作するためのデバイスであって、前記デバイスは、ユーザーによるタッチ操作の情報を送信する操作デバイス（Ａ）と、前記情報を携帯端末のタッチパネルに直接入力操作を行う入力デバイス（Ｂ）とを備え、
前記操作デバイス（Ａ）は、ユーザーによるタッチ操作を検知するタッチパネルと、
ユーザーによる前記タッチパネルのタッチ位置の座標情報を前記入力デバイス（Ｂ）に無線信号で送信する無線送信手段と、前記携帯端末に表示されている映像を表示する表示部とを有し、
前記入力デバイス（Ｂ）は、前記操作デバイスの前記無線送信手段から送信された前記座標情報に基づき、該座標情報に対応する前記携帯端末のタッチパネル上の位置をユーザーがタッチ操作したと判定する操作判定手段と、
前記操作判定手段によってユーザーがタッチ操作したと判定された前記携帯端末のタッチパネル上の位置で、前記タッチパネルに直接入力操作を実行する操作実行手段と、
を有することを特徴とする、携帯端末遠隔操作用デバイス。
【請求項２】
前記操作実行手段が、物理的に携帯端末のタッチパネルを押圧する手段であることを特徴とする、請求項１に記載の携帯端末遠隔操作用デバイス。
【請求項３】
前記操作実行手段が、電気的に携帯端末のタッチパネルと前記入力デバイス（Ｂ）とが通電する手段であることを特徴とする、請求項１または２に記載の携帯端末遠隔操作用デバイス。
【請求項４】
請求項１〜３の何れか一項に記載の携帯端末遠隔操作用デバイスを用いて、携帯端末を遠隔で操作する方法。
【国際調査報告】
2019208323.tif 000010
2019208323.tif 000011
2019208323.tif 000012
2019208323.tif 000013